(57)【要約】      （修正有）【課題】日常何の不自由も知らず見詰め続けている像影視覚に僅少なりと二焦点が存在している。片方の眼でなく、両眼視の時だけの現象で、左右眼球内ごとに視神経の関与で光束が顔面中央方向に偏向を起し、大脳に伝達した像影にも表われて鮮明な視覚を妨げている。【解決手段】普段見慣れている視力を更に更正する、左右眼球ごとに複合レンズを用いた新しい視力メガネを使い、眼球ごとに起きている光束の偏向を眼球ごとに更正し、大脳に伝達した像影を一焦点像に更正し、今迄知らなかった鮮明な視界を初めて知覚させる。【選択図】図１
2006047936.tif 000002
【特許請求の範囲】
【請求項１】
本発明は片目で見詰めた場合には起らない現象で左右両眼で像影を見詰めた時に起る光束偏向現象を更正する方法で、日常的に最良の見え様と思って居る脳裏の像影に左右眼球ごとの偏向光束がズレ重なって大脳に僅少の二焦点の有る事が確かに知られ、又私達が両眼で像影を見詰めた時だけの現象として片目見より像影が５％位確実に拡大して見取れる事を観測される、此の現象は左右眼球内ごとに視神経が互いに関与して光束が顔面中央方向に偏向移行し、眼底中心より横寄りに移りこの眼球ごとの偏向光束が大脳に伝達し脳裏の中心でズレ重なり僅少の拡大と二焦点現象が起生する、幾回もの観測で究極的に確認でき、以上述べた大脳の二焦点現象が高度な鮮明視性を妨げている、この現象の二焦点を更正する技術方法として新しく視力メガネを考案・試作し、一焦点の正確視性に実験と調正を繰返し成果を得る、複合レンズに依る構成の新規の視力メガネを設計し両眼球内ごとに起る光束の偏向を各々眼球ごとに更正し脳裏に一焦点の鮮明な像影を起し、原像影に等しい正確な視力を知覚し得ます、以上の両眼視のときの視力の更正理由と更正方法。
【請求項２】
目に掛けて使用するメガネ装置であって、左右眼球内の偏向光束の更生に技術的方法手段としての、新しい視力メガネで、その製造方法は、左右眼鏡に複合レンズを用いる、複合レンズの構成は、収束レンズと発散レンズの複合体で、収束レンズは３ｃｍ直径の凸形＋３．５度を用い発散レンズは楔形レンズを用いる、楔形レンズの作り方は直径６ｃｍの凹形レンズ−３．５度を用い、中心点を縦軸に正確に二つに切断分割して、左右用とし、切面線中心点より直角に横軸線１．５ｃｍの位置を基点に半径１．５ｃｍの円状に作る横軸線の中心点を基点に直角縦線、切面との平行線を楔形レンズの縦基線とする、収束レンズ中心点上に楔形レンズの基点を重ね合わせて複合レンズを形成し、両眼鏡とする両眼鏡は両楔形レンズの縦基線が平行に向き合う様に構成し、両眼鏡を顔面の両瞳上の位置にメガネ枠を配し、以上を視力メガネの製造方法とする。
【発明の詳細な説明】
【技術分野】
【０００１】    左右両眼で像影を見詰めた時だけ起る現象で、両眼球内での視神経の関与で互いに顔面中央方向に光束が偏向し視覚としても像影が５％位確かに拡大する現象が観測でき、此の現象は眼球ごとに相反する方向に光束偏向が起きて大脳に伝達した像影が脳裏中心点で、ズレ重なり僅少の二焦点が出現し、鮮明な視覚を妨げている、図３、図４−２、以上述べた光束偏向現象を正確に一焦点の原像に等しく更正する技術的方法手段として、左右眼球ごとに光束偏向を更正する複合レンズを用いた新しい視力メガネ、図１を使用し眼球ごとの偏向光束を更正し原像影に等しい一焦点の正確な像影を脳裏に得て鮮明な視覚を知覚する、図４−３。
【背景技術】
【０００２】    従来のメガネ装置に於ては個人の単眼球ごとの視力に応じた対応施策として、眼鏡を用いレンズの屈折度を利用し焦点を調正しての視力矯正装置、及び該レンズの一枚の面上に複数の焦点を分割して配した例えば遠近両用メガネ装置の如くで、両眼視の時だけ発生する光束偏向現象で左右眼球ごとに眼球内で視神経の関与で光束偏向を起し眼底に僅少なりと横寄りにズレと拡大が起き、大脳に伝達した像影に二焦点が出現する、此の現象が高度な視覚の正確性を難しくしている、眼球ごとに確かに発生している光束偏向の矯正施策や方法などが今だに知られません。
【論文例１】
【０００３】      現今の出版物で両眼で見る視覚の説明で、ステレオグラムの現象が報じられて居りますが、私の研究両眼視時の眼球内の光束の偏向が報じられず、私の考えとは異なります、次ページに出版物を付します。
2006047936.tif 000003
【論文例２】
【０００４】      山形大学医学部眼科山下英俊先生の紹介文要旨Ｈ１３．７．１８、眼科の専門とは言えすべての機能を知っている解ではなく、眼と言う器官は不明な点が数多く見られます、眼のしくみに就いて解りやすい総説をインターネットから見つけることが出来たので同封いたしますと記されて紹介文をいただきました。
【別紙１】
に付します。
【論文例３】
【０００５】      Ｈ１６．６．１０、月刊誌文芸春秋７月号掲載、国立身体障害者リハビリテーション病院眼科医長  簗島謙次先生記述の、見る仕組みとキャリアグラスのＴＰＯを読みました、本誌の文章切り取り分を、別紙２に付します。
2006047936.tif 000004
2006047936.tif 000005
【発明の開示】
【発明が解決しようとする課題】
【０００６】    人間の視覚は天与の生命護身の器官機能です、私達が生存の古来から生来の今日に至る視覚機能が習慣性や学習性など視覚脳機能が長所短所を補い合って、違和感の知らない最良最善の見詰め方で日常的に何の不自由も知らずに過ごして居ります、横に広がる視界や動的に敏感な見詰め方などのできる毎日の生活です、長所として、横広がりの視界や動的に敏感に見詰め易く、両眼球が顔面に横並びに配され視神経も互いに関与し合って噛み合い有益に良好な機能を果しています。【０００７】    而し短所も有ります、両眼で見詰めた時に左右眼球内で光束が偏向を起し眼底中心より横寄りに移り又僅少なりと広がります、図３、大脳に伝達した両眼球の像影が脳裏中心でズレ重なって、拡大と二焦点が生じます、図４−２、視覚としても５％位像影の拡大が観測できます、この現象が鮮明な視覚の妨げとなります。【０００８】    像影視覚の不確実性を完全に更正、達成する為に、新規の視力メガネ図１を考案し設計し試作して実験と調正を繰り返し乍ら原像に等しい鮮明な像影を初めて知覚し得ました、両眼で見詰めた時だけ発生する現象の左右眼球ごとの偏向光束を眼球ごとに配した複合レンズ図４−５５に依って、充分に更正が達成できます。【０００９】    新規の視力メガネは左右眼鏡に複合レンズ図２−１７を設計し用いた構成で、収束凸レンズ直径３ｃｍ＋３．５度図２−１１を用い、凹レンズ直径６ｃｍ−３．５度を図２−１３を縦軸線図２−１４を正確に二分割に設計し切断、切面の中心点より横直角線１．５ｃｍの点を基点に半径１．５ｃｍの円状の楔形レンズを作る、基点からの縦線、切断面と平行線を楔形レンズの縦基線とする、これを左右の偏向レンズとして用い、収束凸レンズの中心点図２−１２上に楔形レンズの基点を重ね合せた設計の更正用左右の複合レンズを作る、この複合レンズを両眼鏡とし楔形レンズの縦基線が平行に向き合ふ構成にする、これを使って原像に等しい一焦点の正確な像影を知覚します、図４−３。
【発明の効果】
【００１０】    本発明は図１の如く構成された新規の視力メガネを使って元像影に等しい鮮明な視力を得て効果を奏します、視力メガネの左右眼鏡に更正複合レンズを用いる事で、両眼で見詰めた時だけ発生する眼球ごとの中央方向に偏向する光束を眼球ごとに配した複合レンズに依り視覚の正確性を充分に達成できます、図４−３、視覚に違和感もなく楔形レンズの設計値が−３．５度辺りが幾回も実験調正の結果から両眼球の偏向値と認知できます。
【発明を実施する為の最良の形態】
【００１１】    特許請求の範囲（請求項１）にて述べた如く両眼視の時に大脳の像影に二焦点が起る事が観測の結果から認知できます、この現象を一焦点に更正する方法として、眼球ごとの偏向光束を正確に更正できる楔形凹レンズ−３．５度を発散レンズに用い凸形レンズ＋３．５度を収束レンズに用い、重ね合わせた複合レンズを両眼球ごとに用い、視覚の像に一焦点の正確性を得ます、この複合レンズを眼鏡構成として用います、図１に記載。
【実施例】
【００１２】    本発明の新しい視力メガネの構成は図１の如くとし、左収束レンズ設計値＋３．５度、図１−２、縦軸中心点、図１−３、上に楔形レンズ設計値−３．５度、図１−４、縦軸中心点、図１−３、５、６を重ね合わせた設計の複合レンズを形成、左右両眼鏡とし両楔形レンズの縦軸線が平行に向き合う構成にし、顔面両瞳の位置に配してメガネ枠を付し、視力メガネの構成とする。
【産業上の利用可能性】
【００１３】    科学技術の進歩した今日に於ても諸文化活動で視覚の正確視性が俄かに問われています、例えば野球やゴルフの如き球技者ら、弓道や射撃など射的技の関係者ら、又家庭のテレビ観賞、学生の細字読書など、切実な要望です、新たに正確な知視の得る視力メガネなので多くの人達の待望の需要と思われます。
【図面の簡単な説明】
【００１４】    図１、新しい視力を得る視力メガネの前面平面図、収束レンズと発散レンズを紙面説明の為大小に記しましたが、実際は同寸法、凸凹二枚を重ね合わせた複合レンズ、幾回も実験結果から眼球の偏向値が−３．５度辺が違和感のない認知値です。
図２、凸収束レンズ、凹発散レンズ、楔形レンズ、複合レンズの断面図、機能説明の為二枚複合で記して在りますが一枚に機能を持たせても同じ効果。
図３、人体眼球の８倍拡尺図、両眼視時の偏向光束の中心線が、眼底中心点より左方に偏向している右眼球の状態を説明してあります。
図４−１、単眼視時、眼球から大脳に伝達された像影に光束偏向が起らない。
図４−２、両眼視の時左右眼球内で光束に偏向が起き大脳に伝達した像影に僅少の二焦点が現れる。
図４−３、更正複合レンズを使った両眼視時の眼球から大脳に伝達される像が一焦点に更正されている正確視性を示す。
【符号の説明】
【００１５】図１、  １．新視力メガネ前面平面
２．収束凸レンズ＋３．５度    直径３ｃｍ
３．収束凸レンズ＋３．５度    中心点
４．発散楔形レンズ−３．５度  鎖線内
５．発散楔形レンズ−３．５度  縦軸線
６．発散楔形レンズ−３．５度  中心点
７．メガネ枠
図２、１１．収束凸レンズ＋３．５度    直径３ｃｍ
１２．収束凸レンズ＋３．５度    中心点
１３．凹レンズ−３．５度        直径６ｃｍ
１４．凹レンズ−３．５度        中心点
１５．左発散楔形レンズ
１６．左発散楔形レンズ          中心点と縦軸線
１７．複合レンズ  左
図３、２１．瞳孔
２２．単眼視時  水晶体位置
２３．両眼視時  水晶体位置  鎖線内
２４．眼底網膜中心点
２５．単眼視時  光束中心線と網膜到達点
２６．単眼視時  光束帯左右側網膜到達点
２７．両眼視時  中心光束線網膜到達点  鎖線
２８．両眼視時  光束帯左右網膜到達点  鎖線
図４、３１．原像影を単眼で見詰める
３２．眼球の像影光束      原像影と同じ
３３．左右脳裏の像影光束  原像影と同じ
３４．大脳像影            原像影と同じ
４１．原像影を左右眼球で見詰める
４２．左右眼球ごと光束帯拡大  焦点内側に移行    鎖線
４３．光束帯左右脳に伝達      焦点外側に移行    鎖線
４４．光束帯大脳に伝達        像に二焦点と拡大  鎖線
５１．原像影を左右眼球で見詰める
５５．左右眼球に複合レンズ使用
５６．像影光束を外側に移行  鎖線
５２．眼球光束帯拡大  一焦点に集焦
５３．像影光朿  左右脳に伝達
５４．像影光束  大脳に伝達  一焦点の正確像得る
【図１】
2006047936.tif 000006
【図２】
2006047936.tif 000007
【図３】
2006047936.tif 000008
【図４】
2006047936.tif 000009